(57)【要約】【課題】番組コンテンツの各シーンを、当該番組コンテンツ制作者の意図した通りの状態で、ユーザに視聴させるデジタル放送を実現する。【解決手段】送信装置１から受信機２に対して送信するデジタル放送用のデジタル放送データ列１０の中に含まれる受信機制御データ１０ｄを受信機制御データ回路９ｂにおいて受信して、受信機２が有する信号処理機能並びに信号出力処理機能を制御するために予め設定されている設定値のうち、受信機制御データ１０ｄにより指定した信号処理機能及び／又は信号出力処理機能に関する設定値を、指定した変更幅だけ変更させる。受信機２の該信号処理機能及び／又は信号出力処理機能として、映像の明るさ、画質、色合い、音量、音質などの制御を含む。また、受信機がＭＰＥＧ４方式によるオブジェクトデータに対応するデジタル放送を受信する場合、送信装置からの受信機制御データによりオブジェクト単位に変更させることもできる。【選択図】図１
2005142887.tif 000002
【特許請求の範囲】
【請求項１】
デジタル放送送信装置からデジタル放送受信機に対して送信するデジタル放送用のデジタル放送データ列の中に、該デジタル放送受信機が有する信号処理機能及び／又は信号出力処理機能を制御するために予め設定されている設定値に対して、該デジタル放送送信装置から指定した変更幅だけ変更させることが可能な受信機制御データを含むことを特徴とする放送システム。
【請求項２】
請求項１に記載の放送システムにおいて、デジタル放送が、ＭＰＥＧ２方式に基づいて符号化された映像データ放送であることを特徴とする放送システム。
【請求項３】
請求項１又は２に記載の放送システムにおいて、前記デジタル放送送信装置の前記受信機制御データにより指定した変更幅だけ変更させることが可能な前記設定値は、ユーザが任意の値に設定することが可能な設定値を含むことを特徴とする放送システム。
【請求項４】
請求項１又は２に記載の放送システムにおいて、前記デジタル放送送信装置の前記受信機制御データにより指定した変更幅だけ変更させることが可能な前記設定値は、ユーザが設定することが不可能な設定値を含むことを特徴とする放送システム。
【請求項５】
請求項１乃至４のいずれかに記載の放送システムにおいて、前記デジタル放送送信装置の或る一つの前記受信機制御データにより指定した変更幅だけ変更させることが可能な前記設定値として、前記デジタル放送受信機が有する各種の信号処理機能並びに信号出力処理機能のうち、１乃至複数の信号処理機能及び／又は信号出力処理機能を指定して、指定した該信号処理機能及び／又は信号出力処理機能をそれぞれ制御するために予め設定されている１乃至複数の設定値を指定することを特徴とする放送システム。
【請求項６】
請求項１乃至５のいずれかに記載の放送システムにおいて、前記デジタル放送送信装置の前記受信機制御データが、前記デジタル放送受信機側の時刻補正や番組表データ更新に代表されるシステム制御に用いるために前記デジタル放送送信装置から送信されるシステム制御データと一体化されて構成されていることを特徴とする放送システム。
【請求項７】
デジタル放送送信装置からデジタル放送受信機に対して送信するデジタル放送用のデジタル放送データ列の中に、ＭＰＥＧ４方式に基づいて符号化されたオブジェクトデータを含み、かつ、該オブジェクトデータに対応する前記デジタル放送を受信する前記デジタル放送受信機が有する信号処理機能及び／又は信号出力処理機能を制御するために予め設定されている設定値に対して、前記デジタル放送送信装置から指定した変更幅だけ変更させることが可能な受信機制御データを含むことを特徴とする放送システム。
【請求項８】
デジタル放送送信装置からデジタル放送受信機に対して送信するデジタル放送用のデジタル放送データ列の中に、ＭＰＥＧ４方式に基づいて符号化されたオブジェクトデータを含み、かつ、該オブジェクトデータに対応する前記デジタル放送を受信する前記デジタル放送受信機が有する信号処理機能及び／又は信号出力処理機能をオブジェクト毎に制御するために予め設定されている設定値に対して、前記デジタル放送送信装置から指定した変更幅だけオブジェクト単位に変更させることが可能な受信機制御データを含むことを特徴とする放送システム。
【請求項９】
請求項７又は８に記載の放送システムにおいて、前記デジタル放送送信装置の前記受信機制御データにより指定した変更幅だけ変更させることが可能な前記設定値は、ユーザが任意の値に設定することが可能な設定値を含むことを特徴とする放送システム。
【請求項１０】
請求項７又は８に記載の放送システムにおいて、前記デジタル放送送信装置の前記受信機制御データにより指定した変更幅だけ変更させることが可能な前記設定値は、ユーザが設定することが不可能な設定値を含むことを特徴とする放送システム。
【請求項１１】
請求項７乃至１０のいずれかに記載の放送システムにおいて、前記デジタル放送送信装置の或る一つの前記受信機制御データにより指定した変更幅だけ変更させることが可能な前記設定値として、前記オブジェクトデータに対応する前記デジタル放送を受信する前記デジタル放送受信機が有する各種の信号処理機能並びに信号出力処理機能のうち、１乃至複数の信号処理機能及び／又は信号出力処理機能を指定して、指定した該信号処理機能及び／又は信号出力処理機能をそれぞれ制御するために予め設定されている１乃至複数の設定値を指定することを特徴とする放送システム。
【請求項１２】
請求項７乃至１１のいずれかに記載の放送システムにおいて、前記デジタル放送送信装置の前記受信機制御データが、当該受信機制御データにより指定した前記変更幅により変更される設定値の対象となるオブジェクトデータと一体化されて構成されていることを特徴とする放送システム。
【請求項１３】
請求項７乃至１１のいずれかに記載の放送システムにおいて、前記デジタル放送送信装置の前記受信機制御データが、前記オブジェクトデータに対応する前記デジタル放送を受信する前記デジタル放送受信機においてシーンを組み立てるために用いられるシーン記述情報を有するシーン記述情報オブジェクトデータと一体化されて構成されていることを特徴とする放送システム。
【請求項１４】
請求項７乃至１３のいずれかに記載の放送システムにおいて、或る一つの前記デジタル放送データ列の中に、前記受信機制御データが複数存在する場合、前記オブジェクトデータに対応する前記デジタル放送を受信する前記デジタル放送受信機が有する各種の信号処理機能並びに信号出力処理機能のうち、いずれかの信号処理機能同士又はいずれかの信号出力処理機能同士が互いに競合しないように、前記デジタル放送送信装置からの複数の前記受信機制御データの内容を監視する競合監視手段を前記デジタル放送受信機に備えることを特徴とする放送システム。
【請求項１５】
請求項１乃至１４のいずれかに記載の放送システムにおいて、前記デジタル放送送信装置の前記受信機制御データにより指定した変更幅だけ変更させることが可能な前記設定値の対象となる前記デジタル放送受信機が有する各種の信号処理機能並びに信号出力処理機能として、少なくとも、映像の明るさ、コントラスト、画質、色合い、色濃度、ガンマ補正、表示画面サイズ、表示レイアウト、及び、音声の出力レベル、音質を制御する機能を含んでいることを特徴とする放送システム。
【請求項１６】
請求項１乃至１５のいずれかに記載の放送システムにおける前記受信機制御データを含む前記デジタル放送データ列を前記デジタル放送受信機に対して送信することを特徴とするデジタル放送送信装置。
【請求項１７】
請求項１乃至１５のいずれかに記載の放送システムにおける前記受信機制御データを含む前記デジタル放送データ列を前記デジタル放送送信装置から受信して、当該デジタル放送受信機が有する各種の信号処理機能並びに信号出力処理機能を制御するために予め設定されている設定値のうち、受信した前記受信機制御データにより指定された信号処理機能及び／又は信号出力処理機能に関する設定値を、前記受信機制御データにより指定された変更幅だけ変更することを特徴とするデジタル放送受信機。
【請求項１８】
請求項１乃至１５のいずれかに記載の放送システム、又は、請求項１６に記載のデジタル放送送信装置、又は、請求項１７に記載のデジタル放送受信機のいずれかにおける前記受信機制御データを含む前記デジタル放送データ列が記録されることを特徴とする記録媒体。
【請求項１９】
請求項１８に記載の記録媒体に記録される前記受信機制御データを含む前記デジタル放送データ列を当該記録媒体に記録し、又は／及び、当該記録媒体から再生することが可能なことを特徴とする記録再生装置。
【発明の詳細な説明】
【技術分野】
【０００１】
本発明は、放送システム、デジタル放送送信装置、デジタル放送受信機、記録再生装置及び記録媒体に関し、特に、デジタル放送信号や記録媒体に記録された信号に含まれるデジタル放送データ列の特定データ（受信機制御データ）により、デジタル放送受信機又は録画再生装置の信号処理機能及び／又は信号出力処理機能を制御することを可能とする放送システム、デジタル放送送信装置、デジタル放送受信機、記録再生装置及び記録媒体に関する。
【背景技術】
【０００２】
従来技術として、放送信号を受信し、該放送信号中に含まれる時刻情報を抽出して、受信機が備える時計機能の時刻補正を行なう技術が、特許文献１に示す特開２００１−２５５３８６号公報「電子機器」に記載されている。また、デジタルテレビジョン受信機の信号処理機能の設定を変更する方法として、各ユーザの視聴状況を把握し、必要に応じて、ユーザ毎のメニュー内容を制限して視聴制限を加えたり、メニュー内容の一部を変更して画質や音質等の設定を行なうことが可能な技術が、特許文献２に示す特開２００１−２０３９５１号公報「デジタル放送対応テレビジョン受信機」に記載されている。
【特許文献１】特開２００１−２５５３８６号公報
【特許文献２】特開２００１−２０３９５１号公報
【発明の開示】
【発明が解決しようとする課題】
【０００３】
前述した特許文献１に記載の技術においては、送信機側では、放送信号に、放送番組とは関係がない時刻情報を多重変調して送出する。そして、受信機側では、多重変調された放送信号を受信して復調することにより、時刻情報を抽出しているので、時計機能を備えた受信機においては、抽出した時刻情報を基に内蔵時計の時刻補正を行なうことができる。ここで、当該受信機は、該時計機能によって、当該受信機をＯＮにさせたり、ＯＦＦにさせたりする所謂タイマ動作が可能とされている。しかしながら、前述のように、放送信号に多重変調される時刻情報は、放送される番組のコンテンツとは全く関連しない制御情報（データ）であった。また、受信機においても、放送信号から抽出された時刻情報を、受信する番組のコンテンツに関連付けして用いられるようなものでもない。
【０００４】
また、受信機の信号処理機能を変更する手段としては、前述した特許文献２に記載したような技術があるが、一つの受信機を視聴する複数のユーザ個々に該受信機の映像及び音声の信号処理機能を個別に設定管理できるようにしたものであり、放送信号の送信側の番組コンテンツ制作者が、番組コンテンツの内容に応じて、意図した通りの効果を得るために、該番組コンテンツを受信して視聴する受信機側において、該受信機の信号処理機能及び／又は信号出力処理機能を制御するために予め設定されている設定値を、放送送信装置側から所望する任意の値に変更させることができないという課題があった。
【０００５】
また、前述したような特許文献１、２とは別に、デジタル放送においては、一般に、番組コンテンツに関連する付随情報やリンク情報が放送信号としてのデジタル放送データ列に挿入されている。受信機側において、放送信号に含まれている該デジタル放送データ列を受信することにより、番組コンテンツに関連した付随情報やリンク情報をユーザが知ることができる。しかしながら、かかるデジタル放送データ列は、あくまでも、現在及び今後放送予定の番組表データや、あるいは、番組コンテンツに関連する関連情報であり、受信機の信号処理機能及び／又は信号出力処理機能を制御する（例えば、映像や音声の出力レベルなどを制御する）ものではなく、単に、番組表を提示したり、各番組に関する粗筋や予告や俳優等の紹介を行なうなどの情報であって、番組のコンテンツの各シーンに応じて、例えば映像や音声の出力レベルなど、受信機の信号処理機能及び／又は信号出力処理機能を制御するために予め設定されている設定値を送信装置側から適宜変更させるということは不可能であった。
【０００６】
本発明は、かかる事情に鑑みてなされたものであり、デジタル放送送信装置からデジタル放送受信機に対して送信するデジタル放送用のデジタル放送データ列の中に、該デジタル放送受信機が有する各種の信号処理機能及び／又は信号出力処理機能を制御するために予め設定されている設定値に対して、送信する番組のコンテンツの各シーンに応じて、該デジタル放送送信装置から指定した変更幅だけ変更させることが可能な受信機制御データを含ませて送信することにより、該受信機制御データを受信したデジタル放送受信機側では、指定された信号処理機能及び／又は信号出力処理機能に関する前記設定値を、指定された変更幅だけ変更させて、信号処理や信号出力処理を行なうことを可能とし、もって、番組コンテンツの各シーンを、当該番組コンテンツ制作者の意図した通りの状態で、ユーザに視聴させることを可能にすることを目的としている。
【課題を解決するための手段】
【０００７】
第１の技術手段は、デジタル放送送信装置からデジタル放送受信機に対して送信するデジタル放送用のデジタル放送データ列の中に、該デジタル放送受信機が有する信号処理機能及び／又は信号出力処理機能を制御するために予め設定されている設定値に対して、該デジタル放送送信装置から指定した変更幅だけ変更させることが可能な受信機制御データを含む放送システムとすることを特徴としている。
【０００８】
第２の技術手段は、前記第１の技術手段に記載の放送システムにおいて、デジタル放送が、ＭＰＥＧ２方式に基づいて符号化された映像データ放送であることを特徴としている。
【０００９】
第３の技術手段は、前記第１又は第２の技術手段に記載の放送システムにおいて、前記デジタル放送送信装置の前記受信機制御データにより指定した変更幅だけ変更させることが可能な前記設定値は、ユーザが任意の値に設定することが可能な設定値を含むことを特徴としている。
【００１０】
第４の技術手段は、前記第１又は第２の技術手段に記載の放送システムにおいて、前記デジタル放送送信装置の前記受信機制御データにより指定した変更幅だけ変更させることが可能な前記設定値は、ユーザが設定することが不可能な設定値を含むことを特徴としている。
【００１１】
第５の技術手段は、前記第１乃至第４の技術手段のいずれかに記載の放送システムにおいて、前記デジタル放送送信装置の或る一つの前記受信機制御データにより指定した変更幅だけ変更させることが可能な前記設定値として、前記デジタル放送受信機が有する各種の信号処理機能並びに信号出力処理機能のうち、１乃至複数の信号処理機能及び／又は信号出力処理機能を指定して、指定した該信号処理機能及び／又は信号出力処理機能をそれぞれ制御するために予め設定されている１乃至複数の設定値を指定することを特徴としている。
【００１２】
第６の技術手段は、前記第１乃至第５の技術手段のいずれかに記載の放送システムにおいて、前記デジタル放送送信装置の前記受信機制御データが、前記デジタル放送受信機側の時刻補正や番組表データ更新に代表されるシステム制御に用いるために前記デジタル放送送信装置から送信されるシステム制御データと一体化されて構成されていることを特徴としている。
【００１３】
第７の技術手段は、デジタル放送送信装置からデジタル放送受信機に対して送信するデジタル放送用のデジタル放送データ列の中に、ＭＰＥＧ４方式に基づいて符号化されたオブジェクトデータを含み、かつ、該オブジェクトデータに対応する前記デジタル放送を受信する前記デジタル放送受信機が有する信号処理機能及び／又は信号出力処理機能を制御するために予め設定されている設定値に対して、前記デジタル放送送信装置から指定した変更幅だけ変更させることが可能な受信機制御データを含む放送システムとすることを特徴としている。
【００１４】
第８の技術手段は、デジタル放送送信装置からデジタル放送受信機に対して送信するデジタル放送用のデジタル放送データ列の中に、ＭＰＥＧ４方式に基づいて符号化されたオブジェクトデータを含み、かつ、該オブジェクトデータに対応する前記デジタル放送を受信する前記デジタル放送受信機が有する信号処理機能及び／又は信号出力処理機能をオブジェクト毎に制御するために予め設定されている設定値に対して、前記デジタル放送送信装置から指定した変更幅だけオブジェクト単位に変更させることが可能な受信機制御データを含む放送システムとすることを特徴としている。
【００１５】
第９の技術手段は、前記第７又は第８の技術手段に記載の放送システムにおいて、前記デジタル放送送信装置の前記受信機制御データにより指定した変更幅だけ変更させることが可能な前記設定値は、ユーザが任意の値に設定することが可能な設定値を含むことを特徴としている。
【００１６】
第１０の技術手段は、前記第７又は第８の技術手段に記載の放送システムにおいて、前記デジタル放送送信装置の前記受信機制御データにより指定した変更幅だけ変更させることが可能な前記設定値は、ユーザが設定することが不可能な設定値を含むことを特徴としている。
【００１７】
第１１の技術手段は、前記第７乃至第１０の技術手段のいずれかに記載の放送システムにおいて、前記デジタル放送送信装置の或る一つの前記受信機制御データにより指定した変更幅だけ変更させることが可能な前記設定値として、前記オブジェクトデータに対応する前記デジタル放送を受信する前記デジタル放送受信機が有する各種の信号処理機能並びに信号出力処理機能のうち、１乃至複数の信号処理機能及び／又は信号出力処理機能を指定して、指定した該信号処理機能及び／又は信号出力処理機能をそれぞれ制御するために予め設定されている１乃至複数の設定値を指定することを特徴としている。
【００１８】
第１２の技術手段は、前記第７乃至第１１の技術手段のいずれかに記載の放送システムにおいて、前記デジタル放送送信装置の前記受信機制御データが、当該受信機制御データにより指定した前記変更幅により変更される設定値の対象となるオブジェクトデータと一体化されて構成されていることを特徴としている。
【００１９】
第１３の技術手段は、前記第７乃至第１１の技術手段のいずれかに記載の放送システムにおいて、前記デジタル放送送信装置の前記受信機制御データが、前記オブジェクトデータに対応する前記デジタル放送を受信する前記デジタル放送受信機においてシーンを組み立てるために用いられるシーン記述情報を有するシーン記述情報オブジェクトデータと一体化されて構成されていることを特徴としている。
【００２０】
第１４の技術手段は、前記第７乃至第１３の技術手段のいずれかに記載の放送システムにおいて、或る一つの前記デジタル放送データ列の中に、前記受信機制御データが複数存在する場合、前記オブジェクトデータに対応する前記デジタル放送を受信する前記デジタル放送受信機が有する各種の信号処理機能並びに信号出力処理機能のうち、いずれかの信号処理機能同士又はいずれかの信号出力処理機能同士が互いに競合しないように、前記デジタル放送送信装置からの複数の前記受信機制御データの内容を監視する競合監視手段を前記デジタル放送受信機に備えることを特徴としている。
【００２１】
第１５の技術手段は、前記第１乃至第１４の技術手段のいずれかに記載の放送システムにおいて、前記デジタル放送送信装置の前記受信機制御データにより指定した変更幅だけ変更させることが可能な前記設定値の対象となる前記デジタル放送受信機が有する各種の信号処理機能及び／又は信号出力処理機能として、少なくとも、映像の明るさ、コントラスト、画質、色合い、色濃度、ガンマ補正、表示画面サイズ、表示レイアウト、及び、音声の出力レベル、音質を制御する機能を含んでいることを特徴としている。
【００２２】
第１６の技術手段は、前記第１乃至第１５の技術手段のいずれかに記載の放送システムにおける前記受信機制御データを含む前記デジタル放送データ列を前記デジタル放送受信機に対して送信するデジタル放送送信装置とすることを特徴としている。
【００２３】
第１７の技術手段は、前記第１乃至第１５の技術手段のいずれかに記載の放送システムにおける前記受信機制御データを含む前記デジタル放送データ列を前記デジタル放送送信装置から受信して、当該デジタル放送受信機が有する各種の信号処理機能並びに信号出力処理機能を制御するために予め設定されている設定値のうち、受信した前記受信機制御データにより指定された信号処理機能及び／又は信号出力処理機能に関する設定値を、前記受信機制御データにより指定された変更幅だけ変更するデジタル放送受信機とすることを特徴としている。
【００２４】
第１８の技術手段は、前記第１乃至第１５の技術手段のいずれかに記載の放送システム、又は、前記第１６の技術手段に記載のデジタル放送送信装置、又は、前記第１７の技術手段に記載のデジタル放送受信機のいずれかにおける前記受信機制御データを含む前記デジタル放送データ列が記録される記録媒体とすることを特徴としている。
【００２５】
第１９の技術手段は、前記第１８の技術手段に記載の記録媒体に記録される前記受信機制御データを含む前記デジタル放送データ列を当該記録媒体に記録し、又は／及び、当該記録媒体から再生することが可能な記録再生装置とすることを特徴としている。
【発明の効果】
【００２６】
以上のごとき技術手段から構成される本発明によれば、次のような効果が得られる。
本発明によれば、デジタル放送などのトランスポートストリーム（ＴＳ）即ちデジタル放送データ列に、デジタル放送受信機が有する各種の信号処理機能及び／又は信号出力処理機能を制御するために予め設定されている設定値を指定した変更幅だけ変更させることが可能な受信機制御データを含めて送信することが可能である。従って、番組コンテンツの各シーンについて、当該番組コンテンツの制作者が、意図する通りに、デジタル放送受信機側の指定した信号処理機能及び／又は信号出力処理機能を制御するための前記設定値を、指定した変更幅だけ変更させることができ、映像の明るさやコントラストや色合いや画質等あるいは音声の音量や音質等を所望する状態に変更させることが可能である。
【００２７】
かかる制御が可能となることにより、例えば、番組コンテンツの或るシーンにおいて、通常よりも低音だけを強調して、地震等の映像をより迫力のあるものにしたいと番組コンテンツ制作者が考えている場合、該番組コンテンツ制作者は、当該シーンのコンテンツを送信する際に、デジタル放送受信機側の音声イコライザの低音部分を指定した量だけブーストさせる受信機制御データを送信することにより、容易に目的を果たすことが可能となる。また、映像のシーンについても、同様に、例えば、夕焼けのシーンをより強調したいと番組コンテンツ制作者が考える場合、該番組コンテンツ制作者は、当該シーンのコンテンツを送信する際に、デジタル放送受信機側の色合いを制御する信号処理機能について、指定した量だけ赤の方向に位相をシフトする受信機制御データを送信することにより、容易に目的を果たすことが可能となる。
【００２８】
もって、従来は、番組コンテンツ制作者は、番組コンテンツの作成時にしか、自分の作品（番組）を表現することができなかったのに対して、本発明によれば、番組コンテンツ制作者は、ユーザ側のデジタル放送受信機が有する各種の信号処理機能並びに信号出力処理機能のうち、番組コンテンツの各シーンに応じて、該番組コンテンツ制作者が意図する特定の信号処理機能及び／又は信号出力処理機能に関する設定値を所望する変更幅だけリアルタイムに変更させることができるので、従来技術ではできなかった作品を創作することが可能である。
【００２９】
更に、前述した効果に加えて、番組コンテンツに登場するオブジェクト（対象物）毎に、各種の信号処理機能並びに信号出力処理機能を制御するための設定値のうち、該番組コンテンツ制作者が意図する特定の信号処理機能及び／又は信号出力処理機能に関する設定値を所望する変更幅だけ変更させることも可能であり、よりきめ細かく、映像の明るさやコントラストや色合いや画質等あるいは音声の音量や音質等を所望する状態に変更することができるので、応用範囲を更に拡大することが可能となり、これまでにない作品を創造することができる。
【発明を実施するための最良の形態】
【００３０】
本発明に係る放送システムは、デジタル放送送信装置からデジタル放送受信機に対して送信するデジタル放送用のデジタル放送データ列の中に、該デジタル放送受信機が有する各種の信号処理機能並びに信号出力処理機能を制御するために予め設定されている設定値のうち、指定した信号処理機能及び／又は信号出力処理機能に関する設定値を指定した変更幅だけ変更させることが可能な受信機制御データを含むことを特徴とし、もって、番組コンテンツの送信側の番組コンテンツ制作者は、番組コンテンツの各シーンに応じて、ユーザ側のデジタル放送受信機が有する各種の信号処理機能並びに信号出力処理機能のうち、該番組コンテンツ制作者が意図する特定の信号処理機能及び／又は信号出力処理機能に関する設定値を所望する変更幅だけリアルタイムに変更させ、映像の明るさやコントラストや色合いや画質等あるいは音声の音量や音質等を所望する状態に変更することができ、従来技術ではできなかった作品を創作することが可能である。
【００３１】
更に、デジタル放送送信装置からデジタル放送受信機に対して送信するデジタル放送用のデジタル放送データ列の中に、ＭＰＥＧ４方式に基づいて符号化されたオブジェクトデータを含み、かつ、該オブジェクトデータに対応する前記デジタル放送を受信する前記デジタル放送受信機が有する各種の信号処理機能並びに信号出力処理機能のうち、指定した信号処理機能及び／又は信号出力機能をオブジェクト毎に制御するために予め設定されている設定値に対して、該デジタル放送送信装置から指定した変更幅だけオブジェクト単位に変更させることが可能な受信機制御データを含むことを特徴とし、もって、よりきめ細かく、映像の明るさやコントラストや色合いや画質等あるいは音声の音量や音質等を所望する状態に変更することができるので、応用範囲を更に拡大することが可能となり、これまでにない作品を創造することができる。
【００３２】
以下に、本発明に係る放送システム、デジタル放送送信装置、デジタル放送受信機、記録再生装置及び記録媒体の実施の形態について、本発明の係る放送システムを例にして図面を参照しながら詳細に説明する。
【００３３】
（実施の形態１）
まず、本発明に係る放送システムの実施の形態１について説明する。
図１は、本発明に係る放送システムの実施の形態１における全体構成の一例を示すシステム構成図である。なお、図１は、デジタル放送で用いられるＭＰＥＧ２によって変調されたデジタル放送信号を送受信している放送システム１００の概念を示す概念図でもある。図１に示す放送システム１００において、符号１０はＭＰＥＧ２によって変調された放送信号の構成を示すデジタル放送データ列であり、デジタル放送の送信元であるデジタル放送送信装置（以下、送信装置と略す）１から送信される。デジタル放送データ列１０は、映像と音声とから構成される番組コンテンツデータ１０ａと、文字や番組のシーンを記述した番組コンテンツ付加情報データ１０ｂと、デジタル放送を受信するデジタル放送受信機（以下、受信機と略す）２の内蔵時計の時刻補正や番組表データの更新などを制御するためのシステム制御データ１０ｃとを含んでいる。
【００３４】
更に、本発明に固有のデジタル放送データとして、デジタル放送データ列１０は、該デジタル放送を受信する受信機２が有する各種の信号処理機能並びに信号出力処理機能のうち、１乃至複数の信号処理機能及び／又は信号出力処理機能を指定して、指定した該信号処理機能及び／又は信号出力処理機能をそれぞれ制御するために予め設定されている１乃至複数の設定値を指定した変更幅だけ変更させる制御を行なうための受信機制御データ１０ｄも含んでいる。該受信機制御データ１０ｄは、送信装置１から送信される番組コンテンツの内容に応じて、受信機２側の指定した特定の１乃至複数の信号処理機能及び／又は信号出力処理機能に関する設定値を指定した変更幅だけリアルタイムに変更させることを指示するためのデータである。
【００３５】
ここで、受信機制御データ１０ｄにより指定した変更幅だけ変更させることが可能な設定値の対象となる受信機２が有する各種の信号処理機能及び／又は信号出力処理機能としては、少なくとも、映像の明るさ、コントラスト、画質、色合い、色濃度、ガンマ補正、表示画面サイズ、表示レイアウト、及び、音声の出力レベル、音質を制御するための機能を含んでいるものである。
【００３６】
なお、本説明においては、理解し易くするために、受信機制御データ１０ｄとシステム制御データ１０ｃとを区別して別個に配置しているが、受信機２側の時刻補正や番組表データ更新に代表されるようなシステム制御に用いるシステム制御データ１０ｃの中に、受信機２の信号処理機能及び／又は信号出力処理機能毎の設定値を変更させるための受信機制御データ１０ｄを新たに挿入するようにしても構わない。
【００３７】
図１において、本発明に係る放送システム１００は、デジタル放送を送信する送信装置１と、デジタル放送を受信する受信機２と、該受信機２からの出力を記録再生するための記録再生装置３とから構成される。ここで、受信機２と記録再生装置３とは一体とした装置としても構わない。
【００３８】
次に、本発明に係る受信機２の構成について、図１を用いて説明する。受信機２は、送信装置１から送信されてくるデジタル放送をアンテナ２ａによって受信して、チューナ４により、デジタル放送信号の中からユーザにより予め選局された所望のＣＨ（チャンネル）のデジタル放送信号を選択して出力する。
【００３９】
ここで、前述したデジタル放送データ列１０（即ち、番組コンテンツデータ１０ａ、番組コンテンツ付加情報データ１０ｂ、システム制御データ１０ｃ、及び、受信機制御データ１０ｄ）は、該デジタル放送信号の中に、圧縮された信号として多重変調されて送信されてきているので、多重信号分離回路５において、それぞれのデータ信号に分離される。分離されたデータ信号は、復号信号回路６において復号される。番組コンテンツデータ１０ａが復号された映像及び音声、及び、番組コンテンツ付加情報データ１０ｂが復号された付加情報は、それぞれ、信号処理回路７に出力され、信号処理回路７において、表示部８や音声出力部に表示出力するための同期及び補正が加えられ、映像、音声、文字として表示部８や音声出力部から出力される。
【００４０】
復号信号回路６において復号されたもう一方の信号即ちシステム制御データ１０ｃ及び受信機制御データ１０ｄは、制御回路９に出力される。制御回路９は、システム制御回路９ａと受信機制御データ回路９ｂとから構成されている。システム制御回路９ａは、復号されたシステム制御データ１０ｃに基づいて、当該受信機２のシステム制御を行なうものであり、前述した従来の技術と同様に、例えば、内蔵されている時計の時刻補正を行なったり、あるいは、保存している番組表データの更新を行なったりする。
【００４１】
一方、受信機制御データ回路９ｂは、復号された受信機制御データ１０ｄに基づいて、当該受信機２側における指定した信号処理機能及び／又は信号出力処理に関する設定値を変更する設定値変更動作を行なう。即ち、受信機２が有する各種の信号処理機能並びに信号出力処理機能のうち、受信機制御データ１０ｄにより指定された１乃至複数の信号処理機能及び／又は信号出力処理機能をそれぞれ制御するために予め設定されている１乃至複数の設定値を、受信機制御データ１０ｄによりそれぞれ指定された変更幅だけ変更させる制御を行なう。
【００４２】
受信機制御データ１０ｄが設定値を変更させるように指定した信号処理機能及び／又は信号出力処理機能が、例えば、画面表示サイズの変更など表示部８の駆動方法（信号出力処理機能）に関わるものであれば、表示部制御回路８ａに対して出力して表示部制御回路８ａの動作を制御し、また、色合いやガンマ値などの映像の信号処理機能に関わるものであれば、信号処理回路７に対して出力して信号処理回路７の動作を制御する。
【００４３】
次に、本発明に係る記録再生装置３について、図１を用いて説明する。記録再生装置３は、受信機２において番組コンテンツデータ１０ａが復号された映像及び／又は音声、あるいは、場合によっては、番組コンテンツ付加情報データ１０ｂが復号された付加情報を、当該受信機２から出力させて、ＤＶＤなどの記録媒体３０に記録したり、逆に、記録媒体３０に記録されている映像及び／又は音声、及び／又は、付加情報を、当該記録再生装置３において再生したり、あるいは、受信機２側に再生出力して表示部８に表示させたり音声出力部から出力させたりすることが可能である。更に、受信機２が受信機制御データ１０ｄに基づく設定値変更動作により当該受信機２の信号処理機能及び／又は信号出力処理機能に関する設定値を変更幅だけ変更した後の信号即ち映像及び／又は音声、あるいは、場合によっては、付加情報を、記録媒体３０に記録するようにすることも可能である。
【００４４】
また、記録媒体３０が、ＨＤＤ（ハードディスク）の場合には、ＤＶＤなどのように、記録規格が統一されている訳ではないので、デジタル放送のトランスポートストリーム（ＴＳ）即ちデジタル放送データ列１０そのものを記録させることも可能である。従って、ＨＤＤからなる記録媒体３０を有する場合においては、受信機２の多重信号分離回路５において分離されたデジタル放送データ列１０の番組コンテンツデータ１０ａ、番組コンテンツ付加情報データ１０ｂ、システム制御データ１０ｃ、及び、受信機制御データ１０ｄを、記録再生装置３に対してそのまま出力して、記録媒体３０に、番組コンテンツデータ３０ａ、番組コンテンツ付加情報データ３０ｂ、システム制御データ３０ｃ、及び、受信機制御データ３０ｄとして記録すると共に、記録媒体３０に記録されているデータを管理するための管理情報３０Ａを更に記録する。
【００４５】
而して、例えば、記録媒体３０に記録された番組コンテンツデータ３０ａや番組コンテンツ付加情報データ３０ｂを受信機２側に出力して再生する場合、記録媒体３０に記録された受信機制御データ３０ｄを含めて受信機２側に出力し、受信機２側において、該受信機制御データ３０ｄに基づいて、受信機２の設定値変更動作を行なわせ、受信機２の信号処理機能及び／又は信号出力処理機能に関する設定値を変更幅だけ変更させて、番組コンテンツデータ３０ａや番組コンテンツ付加情報データ３０ｂを再生表示させることが可能となる。
【００４６】
次に、受信機２が有する各種の信号処理機能並びに信号出力処理機能のうち、受信機制御データ１０ｄにより指定された信号処理機能及び／又は信号出力処理機能に関する設定値を変更幅だけ変更する設定値変更動作について詳細を説明する。まず、図２は、図１の受信機２のブロック構成の一例を更に詳細に示したブロック構成図であり、設定値変更動作に関連する回路部について、ハッチングを付して示している。
【００４７】
一般に、テレビ放送を受信する受信機が有する各種の信号処理機能並びに信号出力処理機能のうち、ユーザが通常操作するものとしては、映像画面の明るさ（輝度）調整、コントラスト調整、色合い調整、色濃度調整、画質調整、表示サイズ調整、音声の音量（出力レベル）調整、音質調整、などがある。また、ユーザが操作して調整することができないものとしては、例えばガンマ補正などがある。本実施の形態における設定値変更動作としては、ユーザが操作可能な信号処理機能及び／又は信号出力処理機能のみならず、ユーザが調整することができない信号処理機能及び／又は信号出力処理機能についても含むことが可能である。また、本実施の形態においては、かくのごとき信号処理機能及び／又は信号出力処理機能の調整は、信号処理機能や信号出力処理機能毎に受信機２に予め設定されているそれぞれの設定値を、受信機制御データ１０ｄ又は３０ｄによって指定して変更することにより実現している。
【００４８】
ユーザが調整可能な信号処理機能及び／又は信号出力処理機能の場合、図２に示す受信機２が有する信号処理機能及び／又は信号出力処理機能の調整指示は、ユーザにより、リモートコントロール装置も含む操作部（ユーザ設定部）１１を用いて行なわれ、通常、ユーザからの該調整指示は、操作部１１からＣＰＵ１２（マイクロコンピュータ）に対して入力され、ＣＰＵ１２において処理される。ＣＰＵ１２における処理結果として得られた調整用の設定値は、表示部制御回路８ａ及び／又は信号処理回路７に対する制御信号として出力されて、表示部８の明るさ、コントラスト、画質等の調整、音声部１４の出力レベルや音質等の調整が実行される。
【００４９】
而して、表示部８の明るさや音声部１４の出力レベルなどは、ユーザの好みの値として設定される。ＣＰＵ１２により得られた調整用の設定値は、ユーザ設定値記憶部１３に保存されて、以降の表示部８及び音声部１４への映像及び音声の出力の際に参照される。また、ユーザが調整不可能な信号処理機能及び／又は信号出力処理機能に関する設定値についても予め受信機２内に保持されていて、ＣＰＵ１２の制御により適宜自動的に変更することが可能とされている。
【００５０】
図１に示す本発明に係る放送システム１００においては、前述したように、受信機２の内蔵時計の時刻補正や番組表データの更新などを制御するためのシステム制御データ１０ｃや、受信機２の信号処理機能及び／又は信号出力処理機能に関する設定値を制御するための受信機制御データ１０ｄを、デジタル放送データ列１０として、送信装置１側から受信する機能も備えている。ここで、該受信機制御データ１０ｄにより受信機２の設定値変更動作を行なわせる場合、ユーザが操作部１１から操作可能な信号処理機能及び／又は信号出力処理機能のみならず、ユーザが調整不可能な信号処理機能及び／又は信号出力処理機能についても調整することが可能である。
【００５１】
かかる設定値変更動作を容易に実現するために、本実施の形態１においては、ユーザが設定可能な設定値を保存するユーザ設定値記憶部１３上の特定領域に、ユーザが調整不可能な信号処理機能及び／又は信号出力処理機能に関する設定値も保存されている。復号信号回路６において復号された該受信機制御データ１０ｄは、前述したように、受信機制御データ回路９ｂに入力され、しかる後、ＣＰＵ１２に入力される。受信機制御データ１０ｄが入力されたＣＰＵ１２における処理即ち設定値変更動作について、図３のフローチャートを用いて以下に説明する。
【００５２】
ここに、図３は、本発明に係る受信機２の信号処理機能及び／又は信号出力処理機能に関する設定値変更動作の一例を説明するためのフローチャートである。図３のフローチャートにおいて、まず、送信装置１から受信したデジタル放送信号即ちデジタル放送データ列１０の中に、当該受信機２における信号処理機能及び／又は信号出力処理機能に関する設定値の変更を指示する受信機制御データ１０ｄが存在しているか否かを判別する（ステップＳ１）。受信機制御データ１０ｄが存在していない場合（ステップＳ１のＮＯ）、ユーザ設定値記憶部１３に保存されている設定値を読み出して、表示部制御回路８ａ及び信号処理回路７に対して制御信号として出力し（ステップＳ７）、表示部８及び／又は音声部１４の出力レベルや画質、音質等を制御して、映像、音声、文字などの出力を行なう（ステップＳ６）
【００５３】
一方、受信したデジタル放送データ列１０の中に受信機制御データ１０ｄが存在していた場合（ステップＳ１のＹＥＳ）、次に、該受信機制御データ１０ｄが受信機２のどの信号処理機能及び／又は信号出力処理機能を制御するものかを識別する（ステップＳ２）。ここで、該受信機制御データ１０ｄにより制御する信号処理機能及び／又は信号出力処理機能は複数含まれていても構わないが、説明を簡素化するために、以下の説明においては、単一の信号処理機能又は信号出力処理機能に関する設定値を変更幅だけ変更する動作について述べる。次に、該受信機制御データ１０ｄにより変更指示されている該当の信号処理機能又は信号出力処理機能に関する設定値をユーザ設定値記憶部１３より読み出す（ステップＳ３）。なお、該受信機制御データ１０ｄには、前述したように、該当する信号処理機能又は信号出力処理機能に関する設定値を変更する変更幅に関するデータが含まれている。
【００５４】
従って、ステップＳ３においてユーザ設定値記憶部１３から読み出した該当の信号処理機能又は信号出力処理機能に関する設定値を、該受信機制御データ１０ｄが指定している変更幅に基づいて、変更する演算処理を行ない、変更後の新たな設定値を算出する（ステップＳ４）。なお、該受信機制御データ１０ｄにて指定する設定値の変更幅としては、ユーザ設定値記憶部１３に予め設定されて保存されている設定値からのアップもしくはダウンすべき変更幅を示すアップ・ダウン値であっても良く、あるいは、予め設定されて保存されている前記設定値からのアップもしくはダウンすべき相対値を示す百分率（±％値）であっても良いし、あるいは、場合によっては、予め設定されて保存されている前記設定値からの変更幅ではなく、受信機２に新たに設定すべき設定値そのものを指示することとしても構わない。
【００５５】
ステップＳ４において算出された変更後の設定値を、表示部制御回路８ａ及び信号処理回路７に対して制御信号として出力し（ステップＳ５）、表示部８及び／又は音声部１４の出力レベルや画質、音質等を制御して、映像、音声、文字などの出力を行なう（ステップＳ６）
【００５６】
かくのごとき設定値変更動作を行なうことにより、送信装置１から送信される受信機制御データ１０ｄを受信して、受信機２の信号処理機能及び／又は信号出力処理機能に関する設定値を受信機制御データ１０ｄにより指定された任意の値に調整することが可能であり、例えば、デジタル放送の放送番組の内容に応じて、受信機２側の表示部８の明るさやコントラストや表示画質や色合いや、あるいは、音声部１４の音量（出力レベル）や音質などを、好ましい設定レベルに変更させることが可能である。
【００５７】
即ち、デジタル放送などのトランスポートストリーム（ＴＳ）即ちデジタル放送データ列１０の中に、受信機２が有する各種の信号処理機能及び／又は信号出力処理機能を制御するために予め設定されている設定値を、指定した変更幅だけ変更させることが可能な受信機制御データ１０ｄを含めて送信することにより、番組コンテンツの各シーンについて、当該番組コンテンツの制作者が、意図する通りに、受信機２側の指定した信号処理機能及び／又は信号出力処理機能に関する設定値を、指定した変更幅だけ変更させることができ、映像の明るさやコントラストや色合いや画質等あるいは音声の音量や音質等を所望する状態に変更させることが可能である。
【００５８】
かかる制御が可能となることにより、例えば、番組コンテンツの或るシーンにおいて、通常よりも低音だけを強調して、地震等の映像をより迫力のあるものにしたいと番組コンテンツ制作者が考えている場合、該番組コンテンツ制作者は、当該シーンのコンテンツを番組コンテンツデータ１０ａとして送信する際に、受信機２側の音声イコライザの低音部分を指定した量だけブーストさせる受信機制御データ１０ｄを送信することにより、容易に目的を果たすことが可能となる。また、映像のシーンについても、同様に、例えば、夕焼けのシーンをより強調したいと番組コンテンツ制作者が考える場合、該番組コンテンツ制作者は、当該シーンのコンテンツを番組コンテンツデータ１０ａとして送信する際に、受信機２側の色合いを制御する信号処理機能について、指定した量だけ赤の方向に位相をシフトする受信機制御データ１０ｄを送信することにより、容易に目的を果たすことが可能となる。
【００５９】
もって、従来は、番組コンテンツ制作者は、番組コンテンツの作成時にしか、自分の作品（番組）を表現することができなかったのに対して、本発明によれば、番組コンテンツ制作者は、ユーザ側の受信機２が有する各種の信号処理機能並びに信号出力処理機能のうち、番組コンテンツの各シーンに応じて、該番組コンテンツ制作者が意図する特定の信号処理機能及び／又は信号出力処理機能に関する設定値を所望する変更幅だけリアルタイムに変更させることができるので、従来技術ではできなかった作品を創作することが可能である。
【００６０】
（実施の形態２）
次に、本発明に係る放送システムの実施の形態２について説明する。
図４は、本発明に係る放送システムの実施の形態２における全体構成の一例を示すシステム構成図である。なお、図４は、デジタル放送で用いられるＭＰＥＧ４によって変調されたデジタル放送信号を送受信している放送システム２００の概念を示す概念図でもある。図４に示す放送システム２００においては、ＭＰＥＧ４符号化方式の特徴であるオブジェクト（対象物）の概念を利用することによって、オブジェクト単位に、受信機制御データ生成部４１ａ，４２ａをデジタル放送送信装置（以下、送信装置と略す）４０から送信するものである。而して、該受信機制御データ生成部４１ａ，４２ａを受信したデジタル放送受信機（以下、受信機と略す）５０の信号処理機能並びに信号出力処理機能に関して、オブジェクト単位に、該受信機制御データ生成部４１ａ，４２ａにより指定された信号処理機能及び／又は信号出力処理機能に関する設定値をそれぞれ指定された変更幅だけ変更させる制御を行なうことが可能である。
【００６１】
ＭＰＥＧ４のオブジェクトとは、背景映像（画像）、話者及びその音声などの各信号処理単位となる対象物を示すものであり、ＭＰＥＧ４符号化方式は、それぞれのオブジェクト単位に符号化し、オブジェクト単位に復号して、復号された各オブジェクトを組み合せることによって一つのシーンを表現する。
【００６２】
図４に示す実施の形態２におけるＭＰＥＧ４の放送システム２００に関する動作の以下の説明においては、図１に示した実施の形態１におけるＭＰＥＧ２の放送システム１００と同様の部分については説明を省略し、ＭＰＥＧ４に特有のオブジェクトに関する部分を中心にして説明する。
【００６３】
ＭＰＥＧ４を用いた放送システム２００においては、例えば、リアルタイム映像情報の表示に関して、表示する映像をオブジェクト単位で操作することが可能であり、時間帯に応じて任意のレイアウトの映像を表示設定する機能も有している。また、ユーザは、各オブジェクトを任意の位置（レイアウト）に設定したりすることも可能である。本発明に係る放送システム２００は、送信装置４０側の番組コンテンツ制作者が、それぞれのオブジェクトのうち、意図して指定したオブジェクトに関して、該オブジェクトに関わる受信機５０の信号処理機能並びに信号出力処理機能の中から、指定した信号処理機能及び／又は信号出力処理機能に関する設定値を、指定した変更幅だけ変更させることを可能としている。もって、コンテンツ制作者が送信するオブジェクトのうち、所望するオブジェクトについて、受信機５０側のユーザに対して与える効果をより強調したい場合等において、きめ細かな制御を行なわせることを可能とするものである。
【００６４】
図４において、本発明に係る放送システム２００は、デジタル放送を送信する送信装置４０と、デジタル放送を受信する受信機５０とからなるが、更に、図４に示していないが、図１の場合と同様に、該受信機５０からの出力を記録再生するための記録再生装置を備えていても良い。ここで、受信機５０と記録再生装置とは一体とした装置としても構わない。
【００６５】
送信装置４０は、音声を音声オブジェクトとして符号化する音声オブジェクト符号化器４１と、該音声オブジェクトに付随する受信機制御データを生成する受信機制御データ生成部４１ａと、映像を映像オブジェクトとして符号化する映像オブジェクト符号化器４２と、該映像オブジェクトに付随する受信機制御データを生成する受信機制御データ生成部４２ａと、文字情報を文字オブジェクトとして符号化する文字オブジェクト符号化器４３と、各オブジェクトをシーンに組み立てるために用いられるシーン記述情報を符号化するシーン記述情報符号化器４４と、前述した各回路部４１，４１ａ，４２，４２ａ，４３，４４からのデータを多重化し、デジタル放送データ列として送信するデータ多重化器４５とを備えている。
【００６６】
ここで、送信装置４０は、音声オブジェクトや映像オブジェクトに付随した受信機制御データは、受信機制御データ生成部４１ａ，４２ａにてコンテンツ制作者が意図する内容に合致するデータとして生成されて、受信機５０側で出力される音声の音声レベルや音質や、あるいは、映像の明るさや画質などを制御するために、各受信機５０側が予め設定している信号処理機能及び／又は信号出力処理機能に関する設定値に対して、指定した変更幅だけオブジェクト単位に変更させることができる。該変更幅はコンテンツ制作者によって任意に決められた値である。
【００６７】
一方、受信機５０は、送信装置４０から受信したデジタル放送データ列を受信し、音声オブジェクト、映像オブジェクト、文字オブジェクト、シーン記述情報のそれぞれにオブジェクト単位に分離するデータ分離器５５と、音声オブジェクトを音声として復号する音声オブジェクト復号器５１と、該音声オブジェクトに付随する受信機制御データを復号する受信機制御データ復号部５１ａと、音声オブジェクト復号部５１からの音声を受信機制御データ復号部５１ａからの受信機制御データに基づいて信号処理を行なう音声信号処理回路５１Ａと、映像オブジェクトを映像として復号する映像オブジェクト復号器５２と、該映像オブジェクトに付随する受信機制御データを復号する受信機制御データ復号部５２ａと、映像オブジェクト復号部５２からの映像を受信機制御データ復号部５２ａからの受信機制御データに基づいて信号処理を行なう映像信号処理回路５２Ａと、文字オブジェクトを文字情報として復号する文字オブジェクト復号器５３と、文字オブジェクト復号器５３からの文字情報の信号処理を行なう文字情報信号処理回路５３Ａと、シーン記述情報を復号するシーン記述情報復号器５４と、シーン記述情報復号器５４からのシーン記述情報の信号処理を行なうシーン記述情報信号処理回路５４Ａとを備えている。
【００６８】
更に、受信機５０は、音声信号処理回路５１Ａ、映像信号処理回路５２Ａ、文字情報信号処理回路５３Ａから出力されてくる音声、映像、文字の各情報のオブジェクトを、シーン記述情報信号処理回路５４Ａからのシーン記述情報に基づいて１つのシーンとして合成し、表示部５９や音声出力部に対して出力するシーン合成器５８を備え、更に、或る一つのデジタル放送データ列の中に複数の受信機制御データが存在する場合に、受信機制御データ復号部５１ａからの音声オブジェクトに付随する受信機制御データや受信機制御データ復号部５２ａからの映像オブジェクトに付随する受信機制御データについて、複数の受信機制御データ間の競合を防止するために、それぞれの指定内容を監視する競合監視手段５６を備え、更に、該競合監視手段５６の監視結果と受信機制御データ復号部５２ａからの受信機制御データとに基づいて、画面表示サイズの変更などを含め表示部５９の駆動方法（信号出力処理機能）を制御する制御信号を出力する表示制御回路５７と、映像や文字をシーンとして画面表示する表示部５９とを備えている。
【００６９】
更に、実施の形態２における受信機５０側の動作を説明すると、次の通りである。送信装置４０からのＭＰＥＧ４準拠のデジタル放送データ列を受信した受信機５０側においては、データ分離器５５によって分離されたそれぞれの符号化データを、音声オブジェクト復号器５１と映像オブジェクト復号器５２と文字オブジェクト復号器５３とシーン記述情報復号器５４とを用いて、音声信号と映像信号と文字情報信号とシーン記述情報信号とに復号する。しかる後、音声信号と映像信号と文字情報信号とシーン記述情報信号とを、音声信号処理回路５１Ａと映像信号処理回路５２Ａと文字情報信号処理回路５３Ａとシーン記述情報信号処理回路５４Ａとを用いて、それぞれ信号処理を施す。
【００７０】
ここで、音声信号と映像信号とを信号処理する際に、受信機制御データ復号部５１ａ，５２ａから出力される音声オブジェクトと映像オブジェクトとにそれぞれ付随した受信機制御データにより、音声信号処理回路５１Ａと映像信号処理回路５２Ａとの信号処理動作が制御される。即ち、受信機制御データ復号部５１ａからの音声オブジェクトに付随した受信機制御データにより指定された変更幅に応じて、予め設定されている設定値から変更された変更後の設定値に基づいて、音声信号処理回路５１Ａの音声レベルや音質などを変更した信号処理が施される。一方、受信機制御データ復号部５２ａからの映像オブジェクトに付随した受信機制御データにより指定された変更幅に応じて、予め設定されている設定値から変更された変更後の設定値に基づいて、映像信号処理回路５２Ａの明るさ（輝度レベル）やコントラストや画質などを変更した信号処理が施される。
【００７１】
即ち、音声及び映像の信号処理機能や信号出力処理機能に関する設定値の変更幅は、送信装置４０側のコンテンツ制作者が所望する任意の値に決めることができるので、受信機５０側の音声や映像の出力レベルや出力品質などの信号処理機能及び／又は信号出力処理機能は、コンテンツ制作者の意図する状態に制御することが可能である。例えば、現行のアナログ放送においては、ＣＭ（コマーシャル）放送時は、アナログ放送規格として、音声の変調度を番組放送時よりも大きくして強調することが許容されているが、本発明に係る放送システム２００においては、かくのごとき現行のアナログ放送規格とは関係なく、音声オブジェクト単位に、コンテンツの１シーン毎、更には、時系列的に連続する複数シーン毎に、コンテンツ制作者の意図に従って、音声の出力レベルに対して強弱を付けることが可能である。
【００７２】
また、映像オブジェクトに付随した受信機制御データは、映像信号処理回路５２Ａにおける信号処理において、映像の明るさやコントラストや画質（精細度）や色合いなどの信号処理機能及び／又は信号出力処理機能のうち、一つ以上の指定した信号処理機能及び／又は信号出力処理機能に関して、予め設定されている設定値を指定した変更幅だけオブジェクト単位に変更させることができる。ここで、映像オブジェクトに付随した受信機制御データが指定する変更幅は、映像オブジェクト単位に、コンテンツの１シーン毎、更には、時系列的に連続する複数シーン毎に、コンテンツ制作者の意図に従って、コンテンツ制作者によって任意に決められた値とされる。
【００７３】
即ち、前述した実施の形態１における放送システム１００との違いは、映像を例に説明すると、次の通りである。実施の形態１における放送システム１００においては、映像の明るさやコントラストや画質（精細度）や色合いなどの各信号処理機能及び／又は信号出力処理機能の変更を指示する受信機制御データ１０ｄは、受信機２の表示部８の画面全体について、予め設定されている設定値に対して、指定した変更幅だけ変更するように制御させていたのに対して、実施の形態２における放送システム２００においては、後述するように、受信機５０の表示部５９内の映像オブジェクト毎に対応する明るさやコントラストや画質（精細度）や色合いなどの各信号処理機能及び／又は信号出力処理機能を、それぞれの予め設定されている設定値に対して、指定した変更幅だけオブジェクト単位にきめ細かく変更するように制御させることができる。
【００７４】
次に、映像オブジェクト毎にそれぞれの明るさやコントラストや精細度や色合いなどの信号処理機能及び／又は信号出力処理機能に関して予め設定されているそれぞれの設定値を、それぞれの映像オブジェクトについて指定した変更幅だけ変更させる設定値変更動作を、映像オブジェクトの場合を例にして、図５に示す受信機５０のブロック構成を基に更に説明する。ここに、図５は、図４の受信機５０における映像オブジェクトの信号処理に関連する回路部のみを抽出して、その構成の一例を更に詳細に示したブロック構成図である。図５において、映像オブジェクト復号器５２から出力される映像オブジェクトに付随する受信機制御データ復号部５２ａの受信機制御データが、例えば該映像オブジェクトの明るさを指定した変更幅だけ増加させることを指示するデータであった場合、該受信機制御データは、ＣＰＵ６２に入力される。
【００７５】
ＣＰＵ６２は、例えば操作部（ユーザ設定部）６１から入力されてユーザ設定値記憶部６３に予め保存されている該映像オブジェクトの明るさに関する設定値をユーザ設定値記憶部６３より取得する。しかる後、該受信機制御データが指定する明るさ変更幅を基にして、明るさに関する前記設定値を変更して、映像信号処理回路５２Ａに対する該映像オブジェクトにおける明るさ設定値として出力する。映像信号処理回路５２Ａは、映像オブジェクト復号器５２から入力されて、信号処理部５２Ａａを介してメモリ５２Ａｃに一旦保存した映像データストリームにおける該映像オブジェクトの明るさを、ＣＰＵ６２からの明るさ設定値に基づいて演算処理部５２Ａｂにて変更して、信号処理部５２Ａａに対して返送し、映像信号処理回路５２Ａから、シーン合成器５８に対して出力する。
【００７６】
また、実施の形態１における放送システム１００と同様に、例えば、画面表示サイズなど表示部５９全体の駆動方法（信号出力処理機能）を変更させたい場合は、図４に示す放送システム２００において、表示部５９全体の駆動方法を制御する指示であることを示す受信機制御データを送信装置４０の受信機制御データ生成部４２ａにより生成して送信することにより、該受信機制御データを受信した受信機５０側の受信機制御データ復号部５２ａから出力される受信機制御データを、表示制御回路５７に対して直接入力することが可能となる。
【００７７】
また、実際のデジタル放送においては、映像データや音声データの中に複数の映像オブジェクトや音声オブジェクトが含まれている場合があり、それぞれの映像オブジェクトや音声オブジェクトに受信機制御データが付随されている場合がある。かかる場合において、それぞれの映像オブジェクトや音声オブジェクトに付随する複数の受信機制御データのうち、いずれかの映像オブジェクトや音声オブジェクトに付随する受信機制御データにおいて、受信機５０側の変更を指定した信号処理機能及び／又は信号出力処理機能が、例えば表示部５９全体に関する明るさを変更させるような指示であった場合、他の映像オブジェクトに付随する受信機制御データが指示する明るさに関する変更幅の指定内容との間で競合が発生しないように（即ち、同一の信号処理機能及び／又は信号出力処理機能に関して、複数の受信機制御データ間で異なる変更を指定することを防止するように）、複数の受信機制御データの指定内容を監視する競合監視手段５６を設けている。
【００７８】
なお、図４，５においては、各音声、映像オブジェクトに付随する受信機制御データは、説明の都合から、模式的に音声、映像オブジェクトと別個に記載したが、それぞれ音声、映像オブジェクトデータに含ませるようにし、かつ、音声、映像オブジェクトの符号化や復号の際に、音声、映像オブジェクト符号化器４１，４２や、音声、映像オブジェクト復号器５１，５２において、合わせて、受信機制御データも符号化や復号を行なうようにしても良いし、あるいは、各音声、映像オブジェクトに付随する受信機制御データは、シーン記述情報に新たに付加する形式としてシーン記述情報オブジェクトデータに含ませるようにしても良い。
【００７９】
以上のごとく、本実施の形態２においては、ＭＰＥＧ４に準拠したデジタル放送データ列を用いることにより、前述した実施の形態１における効果に加えて、番組コンテンツに登場するオブジェクト（対象物）毎に、受信機５０の各種の信号処理機能並びに信号出力処理機能を制御するための設定値のうち、該番組コンテンツ制作者が意図する特定の信号処理機能及び／又は信号出力処理機能に関する設定値を所望する変更幅だけ変更させることが可能であり、よりきめ細かく、映像の明るさやコントラストや色合いや画質等あるいは音声の音量や音質等を所望する状態に変更することができるので、応用範囲を更に拡大することが可能となり、これまでにない作品を創造することができる。
【００８０】
なお、図４に示す放送システム２００においても、図４には図示していないが、実施の形態１で述べた場合と同様に、ＭＰＥＧ４形式のビットストリーム（デジタル放送データ列）を、受信機５０を介して、ＨＤＤを記録媒体とする記録再生装置等に記録するようにしても良い。而して、記録媒体に記録されたデジタル放送データ列に含まれる音声コンテンツや映像コンテンツを再生する際に、放送受信時の場合と同様に、受信機５０の音声、映像信号処理回路５１Ａ，５２Ａにおける信号処理機能や、表示部５９、音声出力部に対する信号出力処理機能に関する制御を、記録媒体に記録された受信機制御データに基づいて行なわせることが可能であり、当該番組コンテンツの制作者が、意図する通りに、映像の明るさやコントラストや色合いや画質等あるいは音声の音量や音質等を所望する状態に変更させることが可能である。
【図面の簡単な説明】
【００８１】
【図１】本発明に係る放送システムの実施の形態１における全体構成の一例を示すシステム構成図である。
【図２】図１の受信機のブロック構成の一例を更に詳細に示したブロック構成図である。
【図３】本発明に係る受信機の信号処理機能及び／又は信号出力処理機能に関する設定値変更動作の一例を説明するためのフローチャートである。
【図４】本発明に係る放送システムの実施の形態２における全体構成の一例を示すシステム構成図である。
【図５】図４の受信機における映像オブジェクトの信号処理に関連する回路部のみを抽出して、その構成の一例を更に詳細に示したブロック構成図である。
【符号の説明】
【００８２】
１…デジタル放送送信装置（送信装置）、２…デジタル放送受信機（受信機）、２ａ…アンテナ、３…記録再生装置、４…チューナ、５…多重信号分離回路、６…復号信号回路、７…信号処理回路、８…表示部、８ａ…表示部制御回路、９…制御回路、９ａ…システム制御回路、９ｂ…受信機制御データ回路、１０…デジタル放送データ列、１０ａ…番組コンテンツデータ、１０ｂ…番組コンテンツ付加情報データ、１０ｃ…システム制御データ、１０ｄ…受信機制御データ、１１…操作部（ユーザ設定部）、１２…ＣＰＵ、１３…ユーザ設定値記憶部、１４…音声部、３０…記録媒体、３０Ａ…管理情報、３０ａ…番組コンテンツデータ、３０ｂ…番組コンテンツ付加情報データ、３０ｃ…システム制御データ、３０ｄ…受信機制御データ、４０…デジタル放送送信装置（送信装置）、４１…音声オブジェクト符号化器、４１ａ…受信機制御データ生成部、４２…映像オブジェクト符号化器、４２ａ…受信機制御データ生成部、４３…文字オブジェクト符号化器、４４…シーン記述情報符号化器、４５…データ多重化器、５０…デジタル放送受信機（受信機）、５１…音声オブジェクト復号器、５１Ａ…音声信号処理回路、５１ａ…受信機制御データ復号部、５２…映像オブジェクト復号器、５２Ａ…映像信号処理回路、５２Ａａ…信号処理部、５２Ａｂ…演算処理部、５２Ａｃ…メモリ、５２ａ…受信機制御データ復号部、５３…文字オブジェクト復号器、５３Ａ…文字情報信号処理回路、５４…シーン記述情報復号器、５４Ａ…シーン記述情報信号処理回路、５５…データ分離器、５６…競合監視手段、５７…表示制御回路、５８…シーン合成器、５９…表示部、６１…操作部（ユーザ設定部）、６２…ＣＰＵ、６３…ユーザ設定値記憶部、１００，２００…放送システム。
【図１】
2005142887.tif 000003
【図２】
2005142887.tif 000004
【図３】
2005142887.tif 000005
【図４】
2005142887.tif 000006
【図５】
2005142887.tif 000007